(57)【要約】【課題】従来のプッシュスイッチ付回転型電気部品は、軸３４の割溝３５がプッシュスイッチＰの押しボタン４１と対向した状態で配置されているため、軸３４の押しボタン４１への押し圧動作が一定せず、移動量に対するスイッチ動作にバラツキが生じ、信頼性に問題があった。【解決手段】本発明のプッシュスイッチ付回転型電気部品は、駆動体３に取り付けられた操作軸７の軸線Ｓ上に設けられた柱状部７ａで、プッシュスイッチＰを操作するようにしたため、操作軸７の移動をスイッチに確実に伝達でき、操作軸７の移動量に対するスイッチの動作を一定に出来、信頼性の高いプッシュスイッチ付回転型電気部品を提供できる。【選択図】　　　　図１
2004006380.tif 000002
【特許請求の範囲】
【請求項１】
取付基体と、中心部に孔を設けた筒状部を有する駆動体と、前記取付基体に回転可能に取り付けられた前記駆動体を備えた回転型電気部品と、該回転型電気部品の後部に配設され、可動接点と固定接点とを有するプッシュスイッチと、前記駆動体の前記筒状部の孔に挿入されて前記駆動体に取り付けられた操作軸とを備え、前記操作軸の一端側には、前記操作軸の回転中心となる軸線上に設けられた柱状部と、取付脚とを有し、前記取付脚を前記筒状部の内部に掛け止めして、前記操作軸が前記駆動体に取り付けられると共に、前記柱状部が前記駆動体に設けられた受け部で支持され、前記取付基体には、前記操作軸が挿入される筒部を有する前面板を固定し、前記操作軸は、前記筒部と前記受け部の２点で回転支持され、前記操作軸の回転動作で、前記駆動体を回転させて前記回転型電気部品を操作すると共に、前記操作軸の軸線方向の移動動作で、前記駆動体の前記受け部で支持された回動する前記柱状部により前記プッシュスイッチを操作するようにしたことを特徴とするプッシュスイッチ付回転型電気部品。
【請求項２】
前記駆動体の一端側には、前記筒状部の孔を横切る前記受け部を設け、該受け部で前記柱状部を支持するようにしたことを特徴とする請求項１記載のプッシュスイッチ付回転型電気部品。
【請求項３】
前記駆動体の前記受け部の外周の一部に、前記筒状部の孔と連通し、前記取付脚の先端部が挿入可能な切り欠き部を設けたことを特徴とする請求項２記載のプッシュスイッチ付回転型電気部品。
【請求項４】
前記駆動体の前記筒状部には、前記孔の内方に突出する係止部を設け、該係止部に前記取付脚を掛け止めしたことを特徴とする請求項１、又は２、又は３記載のプッシュスイッチ付回転型電気部品。
【請求項５】
前記柱状部は、前記取付脚より後端側に突出して形成されたことを特徴とする請求項１から４の何れかに記載のプッシュスイッチ付回転型電気部品。
【請求項６】
前記駆動体の前記筒状部に設けた前記孔を非円形とし、前記操作軸は、非円形の前記孔によって直進移動するようにしたことを特徴とする請求項１から５の何れかに記載のプッシュスイッチ付回転型電気部品。
【請求項７】
前記操作軸には、前記取付脚の外側に位置する段部が形成され、該段部が前記駆動体に当接して、前記操作軸の押圧移動をストップすることを特徴とする請求項１から６の何れかに記載のプッシュスイッチ付回転型電気部品。
【発明の詳細な説明】
【０００１】
【発明の属する技術分野】
本発明は、操作軸の軸線方向の移動動作でスイッチをＯＮ，ＯＦＦさせるプッシュスイッチを備え、操作軸の回転動作によりパルススイッチ、或いは可変抵抗器等の回転型電気部品を操作するようにしたプッシュスイッチ付回転型電気部品に関する。
【０００２】
【従来の技術】
従来のこの種のプッシュスイッチ付回転型電気部品は、図３に示すように、パネル３０に凹部３１と歯車３２を有するツマミ３３が回転可能に取り付けられている。
また、軸３４には、軸線方向に直線状に設けられた割溝３５設けて成る脚部３６と、端部に設けられた係止部３７とを有し、軸３４は、凹部３１に位置した状態で脚部３６をツマミ３３に挿通し、係止部３７をツマミ３３にスナップ止めして取り付けられている。
また、軸３４とツマミ３３との間にバネ３８が設けられ、取付板３９には、軸３４と間隔を置いて対向する位置に配置されたプッシュスイッチＰと、このプッシュスイッチＰと並設された回転型電気部品Ｄとが取り付けられ、更に、伝達歯車４０が設けられて、ツマミ３３と回転型電気部品Ｄとを繋ぐようになっている。
【０００３】
そして、ツマミ３３を回転すると、伝達歯車４０を介して回転型電気部品Ｄが操作され、また、軸３４をバネ３８に抗して押し圧すると、軸３４の端部で、プッシュスイッチＰの押しボタン４１を押し圧して、プッシュスイッチＰを操作するようになっている。
【０００４】
【発明が解決しようとする課題】
従来のプッシュスイッチ付回転型電気部品は、軸３４の割溝３５がプッシュスイッチＰの押しボタン４１と対向した状態で配置されているため、軸３４の押しボタン４１への押し圧動作が一定せず、移動量に対するスイッチ動作にバラツキが生じ、信頼性に問題があった。
また、押しボタン４１を戻すバネの他に、軸３４を付勢するためのバネ３８を必要とし、コスト高で、組立性が悪く、大型に成るという問題がある。
また、回転型電気部品ＤがプッシュスイッチＰと並設され、伝達歯車４０を必要とするものであるため、更に、コスト高で、大型に成るという問題がある。
【０００５】
【課題を解決するための手段】
上記課題を解決するための第１の解決手段として、取付基体と、中心部に孔を設けた筒状部を有する駆動体と、前記取付基体に回転可能に取り付けられた前記駆動体を備えた回転型電気部品と、該回転型電気部品の後部に配設され、可動接点と固定接点とを有するプッシュスイッチと、前記駆動体の前記筒状部の孔に挿入されて前記駆動体に取り付けられた操作軸とを備え、前記操作軸の一端側には、前記操作軸の回転中心となる軸線上に設けられた柱状部と、取付脚とを有し、前記取付脚を前記筒状部の内部に掛け止めして、前記操作軸が前記駆動体に取り付けられると共に、前記柱状部が前記駆動体に設けられた受け部で支持され、前記取付基体には、前記操作軸が挿入される筒部を有する前面板を固定し、前記操作軸は、前記筒部と前記受け部の２点で回転支持され、前記操作軸の回転動作で、前記駆動体を回転させて前記回転型電気部品を操作すると共に、前記操作軸の軸線方向の移動動作で、前記駆動体の前記受け部で支持された回動する前記柱状部により前記プッシュスイッチを操作するようにした構成とした。
また、第２の解決手段として、前記駆動体の一端側には、前記筒状部の孔を横切る前記受け部を設け、該受け部で前記柱状部を支持するようにした構成としたまた、第３の解決手段として、前記駆動体の前記受け部の外周の一部に、前記筒状部の孔と連通し、前記取付脚の先端部が挿入可能な切り欠き部を設けた構成とした。
また、第４の解決手段として、前記駆動体の前記筒状部には、前記孔の内方に突出する係止部を設け、該係止部に前記取付脚を掛け止めした構成とした。
また、第５の解決手段として、前記柱状部は、前記取付脚より後端側に突出して形成された構成とした。
また、第６の解決手段として、前記駆動体の前記筒状部に設けた前記孔を非円形とし、前記操作軸は、非円形の前記孔によって直進移動するようにした構成とした。
また、第７の解決手段として、前記操作軸には、前記取付脚の外側に位置する段部が形成され、該段部が前記駆動体に当接して、前記操作軸の押圧移動をストップする構成とした。
【０００６】
【発明の実施の形態】
本発明のプッシュスイッチ付回転型電気部品を図１、図２に基づいて説明すると、図１は本発明のプッシュスイッチ付回転型電気部品の断面図、図２は本発明のプッシュスイッチ付回転型電気部品に係る駆動体と操作軸の分解斜視図である。
本発明の実施例において、回転型電気部品Ｄはパルススイッチを例に示しており、合成樹脂の成型品から成るコップ状の取付基体１は、円形の孔１ａを有する底壁１ｂと、凹部１ｃを有する側壁１ｄとを有している。
また、取付基体１には、凹部１ｃ内の底壁１ｂの上面に一部が露出し、また、一部が側壁１ｄから外部に突出するように、薄い金属板から成る複数個の導電板２が埋設されている。
【０００７】
また、合成樹脂から成る駆動体３は、中心部に、例えば小判型の非円形の孔３ａを有する筒状部３ｂと、筒状部３ｂの一端側である後端に、孔３ａを横切るように設けられた受け部３ｃと、筒状部３ｂの中心部において受け部３ｃに設けられた小孔３ｄと、受け部３ｃの外周の一部に、孔３ａと連通して設けられた一対の切り欠き部３ｅと、孔３ａの壁面の一部が内方に突出して形成された一対の係止部３ｆと、筒状部３ｂの外周に設けられた円形状の鍔部３ｇと、鍔部３ｇの前面に設けられた凹凸部３ｈを備えている。
また、駆動体３の一対の切り欠き部３ｅと一対の係止部３ｆは、軸線方向において対向して形成されていると共に、この駆動体３の鍔部３ｇの後面には、金属板から成る摺動子４が取り付けられている。
そして、この駆動体３は、取付基体１の凹部１ｃ内に鍔部３ｇを位置すると共に、筒状部３ｂの後端を孔１ａに挿通して、取付基体１に回転可能に取り付けられると共に、駆動体３に取り付けられた摺動子４が導電板２に接離して、接点の切り換えを行ってパルススイッチを構成している。
【０００８】
また、金属板、プラスチック等から成るリンク状の板バネ５は、取付基体１の凹部１ｃを塞ぐように、取付基体１と鍔部３ｇの前面に配置され、そして、板バネ５の弾性片５ａが駆動体３の凹凸部３ｈに係脱して、駆動体３の回転動作に対してクリック動作を行わしめている。
上述したように、摺動子４を取り付けた駆動体３、導電板２を取り付けた取付基体１、及び板バネ５とで回転型電気部品Ｄの一つであるパルススイッチを構成しており、この回転型電気部品Ｄは、可変抵抗器等でも良い。
また、金属、或いはプラスチック等から成る前面板６は、平板部６ａと、筒部６ｂとを有し、この前面板６の平板部６ａは板バネ５上に載置され、前面板６と板バネ５は、取付基体１に適宜手段により固定されている。
【０００９】
また、合成樹脂の成型品から成る操作軸７は、後端部に、軸線Ｓ上に設けられた柱状部７ａと、柱状部７ａの近傍に、軸線Ｓ方向の割溝７ｂを設けて成るバネ性ある一対の取付脚７ｃと、段部７ｄとを備えている。
また、前記柱状部７ａは、取付脚７ｃよりも後端側に突出して形成されている。そして、この操作軸７の取付は、柱状部７ａ側から前面板６の筒部６ｂ、駆動体３の筒状部３ｂの孔３ａに挿入し、操作軸７の取付脚７ｃが係止部３ｆに当接すると、取付脚７ｃは内方に撓み、更に、操作軸７の挿入を続けると、取付脚７ｃは係止部３ｆを乗り越えて、バネ性で元の状態に戻る（スナップ止め）と共に、その取付脚７ｃの先端部が切り欠き部３ｅ内に挿入され、且つ、柱状部７ａが受け部３ｃの小孔３ｄに挿通されて、柱状部７ａが受け部３ｃで支持された状態で、操作軸７が駆動体３に取り付けられる。
即ち、駆動体３にスナップ止めされた操作軸７は、操作軸７を押し圧すると、非円形の孔３ａによって直進移動し、段部７ｄが駆動体３の端部にぶつかってその移動が停止し、また、操作軸７が押し圧前の状態に戻された際は、取付脚７ｃが係止部３ｆに掛け止めされて、それ以上の移動が阻止されるようになっている。
また、操作軸７は、筒部６ｂと受け部３ｃの２点で回転可能に支持されている。
このようにして、駆動体３に取り付けられた操作軸７は、回転動作と軸線Ｓ方向の移動動作が可能で、回転動作により駆動体３を回転するようになっている。
【００１０】
また、図１に示すように、取付基体１の後部には、固定接点８、９を埋設した絶縁体１０が取り付けられ、この絶縁体１０の内部には、バネ部材である金属板から成る皿状の可動接点１１が配設されている。
そして、可動接点１１は、その周辺部が固定接点９に常時接触し、且つ、その中央部は操作軸７の柱状部７ａに当接して、操作軸７を常時前方に押し圧し、取付脚７ｃを係止部３ｆに係止するようになっている。
上述したように、固定接点８、９を有する絶縁体１０と、可動接点１１とでプッシュスイッチＰが構成され、このプッシュスイッチＰは、回転型電気部品Ｄに対して軸線Ｓ方向に重なるように配設されている。
【００１１】
そして、このような構成を有するプッシュスイッチ付回転型電気部品において、操作軸７を回転すると、駆動体３が回転され、すると、上述したように、回転型電気部品Ｄであるパルススイッチが操作される。
また、操作軸７を軸線Ｓ方向に押し圧すると、操作軸７は柱状部７ａを小孔３ｄにガイドされ、非円形状の孔３ａに沿って直進し、柱状部７ａが可動接点１１を押し、この可動接点１１が固定接点８側に移動して、可動接点１１が固定接点８に接触し、固定接点８と９とが導通してＯＮとなる。
そして、操作軸７の押し圧を解除すると、可動接点１１のバネ性により、操作軸７は取付脚７ｃが係止部３ｆに係止するまで押し戻されると共に、可動接点１１は固定接点８との接触が離れ、ＯＦＦとなる。
このようにして、回転型電気部品ＤとプッシュスイッチＰの操作を行うものである。
【００１２】
なお、上記実施例においては、駆動体３に取り付けた摺動子４を回転するようにしたもので説明したが、摺動子４を固定側である取付基体１に取り付け、また、駆動体３側には導電板２を設けて、回転する導電板２を、固定側の摺動子４に接離させても良く、また、バネ部材である金属板の可動接点１１を、バネ性のあるゴム部材等のバネ部材を用いても良い。
【００１３】
【発明の効果】
本発明のプッシュスイッチ付回転型電気部品は、駆動体３に取り付けられた操作軸７の軸線Ｓ上に設けられた柱状部７ａで、プッシュスイッチＰを操作するようにしたため、操作軸７の移動をスイッチに確実に伝達でき、操作軸７の移動量に対するスイッチの動作を一定に出来、信頼性の高いプッシュスイッチ付回転型電気部品を提供できる。
また、回転型電気部品ＤとプッシュスイッチＰを軸線Ｓ方向に配設でき、小型で組立性の良い安価なプッシュスイッチ付回転型電気部品を提供できる。
また、バネ部材である可動接点１１を、操作軸７の戻しバネに兼用できる構成にすることでき、安価で組立性の良いプッシュスイッチ付回転型電気部品を提供できる。
【００１４】
また、柱状部７ａが駆動体３の受け部３ｃで支持するようにしたため、柱状部７ａの移動が安定して確実となり、スイッチの操作を確実に出来ると共に、その支持構成が簡単で、安価で生産性の良好なプッシュスイッチ付回転型電気部品を提供できる。
また、受け部３ｃの外周の一部に、筒状部３ｂの孔３ａと連通する切り欠き部３ｅを設けたため、この切り欠き部３ｅに操作軸７の取付脚７ｃを挿入でき、軸線Ｓ方向のスペースを有効に活用でき、軸線Ｓ方向に小型のプッシュスイッチ付回転型電気部品を提供できる。
また、筒状部３ｂに、孔３ａの内方に突出する係止部３ｆを設けて、取付脚７ｃを掛け止めするようにしたため、係止部３ｆの形成位置を径方向に小型に出来ると共に、これに合わせて回転型電気部品Ｄ全体を径方向に小型に出来、従って、小型で材料費の少ない安価なプッシュスイッチ付回転型電気部品を提供できる。
【図面の簡単な説明】
【図１】本発明のプッシュスイッチ付回転型電気部品の断面図。
【図２】本発明のプッシュスイッチ付回転型電気部品に係る駆動体と操作軸の分解斜視図。
【図３】従来のプッシュスイッチ付回転型電気部品の断面図。
【符号の説明】
Ｄ　回転型電気部品
１　取付基体
１ａ　孔
１ｂ　底壁
１ｃ　凹部
１ｄ　側壁
２　導電板
３　駆動体
３ａ　孔
３ｂ　筒状部
３ｃ　受け部
３ｄ　小孔
３ｅ　切り欠き部
３ｆ　係止部
３ｇ　鍔部
３ｈ　凹凸部
４　摺動子
５　板バネ
５ａ　弾性片
６　前面板
６ａ　平板部
６ｂ　筒部
７　操作軸
７ａ　柱状部
７ｂ　割溝
７ｃ　取付脚
７ｄ　段部
Ｓ　軸線
Ｐ　プッシュスイッチ
８、９　固定接点
１０　絶縁体
１１　可動接点
【図１】
2004006380.tif 000003
【図２】
2004006380.tif 000004
【図３】
2004006380.tif 000005